(57)【要約】【課題】異なる放送局間におけるデジタル放送の受信切り替えをスムーズに行うことができる無線通信装置を提供する。【解決手段】  無線通信装置１００は、移動体通信網に接続されている基地局５００と通信する無線通信部１８０と、同一のサービスを複数の物理周波数で放送しているデジタル放送の、その物理周波数を示す情報を記憶する記憶部１４２と、記憶部１４２が記憶している物理周波数を示す情報に基づいてデジタル放送を受信する受信部１２０と、無線通信部１８０を介して基地局５００から所定の信号を受信すると、記憶部１４２が記憶している物理周波数を示す情報のうち、特定の物理周波数を示す情報に基づいて受信部１２０がデジタル放送を受信するように制御する制御部１１０と、を備える。【選択図】図２
2010035035.tif 000002
【特許請求の範囲】
【請求項１】
移動体通信網に接続されている基地局と通信する無線通信部と、
同一のサービスを複数の物理周波数で放送しているデジタル放送の該物理周波数を示す情報を記憶する記憶部と、
該記憶部が記憶している物理周波数を示す情報に基づいてデジタル放送を受信する受信部と、
前記無線通信部を介して前記基地局から所定の信号を受信すると、前記記憶部が記憶している物理周波数を示す情報のうち、特定の物理周波数を示す情報に基づいて前記受信部がデジタル放送を受信するように制御する制御部と、
を備える無線通信装置。
【請求項２】
前記制御部は、前記無線通信部を介して前記基地局から所定の信号を受信した後、前記受信部が前回受信していたサービスと同一のサービスを受信する場合には、前記特定の物埋周波数を示す情報に基づいて当該サービスを受信するように制御する、請求項１に記載の無線通信装置。
【請求項３】
前記無線通信部は、一般回線を介して移動体通信網に接続されている基地局と通信を行う、請求項１または２に記載の無線通信装置。
【発明の詳細な説明】
【技術分野】
【０００１】
本発明は、デジタルテレビジョン放送やデジタル音声放送などのデジタル放送システムのデジタル放送を受信する機能を備えた無線通信装置に関するものである。
【背景技術】
【０００２】
日本国において運用されている地上デジタルテレビジョン放送は、ＩＳＤＢ−Ｔ（Integrated Services Digital Broadcasting for Terrestrial）方式と呼ばれ、ＯＦＤＭ(Orthogonal Frequency Division Multiplexing)変調方式を採用している。このＩＳＤＢ−Ｔ方式は、１つのチャンネルの伝送帯域を１３個のセグメントに分割し、そのうちの１個のセグメント（中央のセグメント番号０）を、携帯電話機やＰＤＡ（Personal Digital Assistant）などの携帯端末用の地上デジタル放送、いわゆる１セグ放送に割り当てている。
【０００３】
上記のＩＳＤＢ−Ｔ方式を採用する放送装置として、最近では、例えば、複数の放送局のデジタル放送波を受信して、それぞれ１セグ放送を抜き出し、それらを連結して上記の放送局のチャンネルとは異なる所定のチャンネルで再送信するようにした放送装置が提案されている（例えば、特許文献１参照）。また、放送局のデジタル放送波から抜き出した１セグ放送に加えて、独自コンテンツを連結して、所定のチャンネルで送信するように構成した放送装置（ワンセグ連結ギャップフィラー）も提案されている。このような、いわゆる「マルチワンセグ」サービスは、札幌市および洞爺湖地区で実施される次世代ワンセグ放送プロジェクトにおいて実験が行われている。この実証実験を効果的に遂行することを目的に、地元放送事業者など多くの事業者による「マルチワンセグメントサービス実証実験協議会」が設立されている。
【０００４】
近年、上述したような１セグ放送を視聴する機能を搭載した携帯端末が普及してきている。デジタル放送は、地区により放送されている放送局、チャンネル、或いは番組が変わることが多い。携帯端末のデジタル放送受信機能を利用している際には、その性質上、ユーザが携帯端末を携行して移動することが多く、放送地区をまたぐ機会が往々にしてある。また、郊外から都市に通勤・通学しているユーザなどは、家と職場・学校では異なる放送エリアとなることも多い。
【０００５】
このように、放送受信中に異なる放送エリアになった場合、従来の携帯端末は受信不可能な旨を示す。或いは、チャンネルスキャンを開始し、系列局が見つかった場合には系列局のチャンネルに選局して受信動作を行う。このようなチャンネルスキャンは、数秒以上の時間が掛かりユーザにストレスを感じさせる。また、スキャンに成功して系列局を受信したとしても、同一番組が放送されていない恐れもある。そこで、チャンネルスキャンの所要時間を短縮化するために、選局の制御手法を改善する従来技術が、多数提案されている（例えば、特許文献２参照）。
【０００６】
【特許文献１】特開２００６−１０９２８３号公報
【特許文献２】特開２００３−３２５６２２号公報
【発明の開示】
【発明が解決しようとする課題】
【０００７】
上記の特許文献１に記載のように、所定のチャンネルの各セグメントを１セグ放送で構成して放送する場合、放送地域が変わると、サービス（番組）のセグメント配置が変わることが考えられる。特に、上述した既存のサービスに独自コンテンツを追加して放送する場合には、放送地域が変わると、独自のコンテンツやそのセグメント配置が変わる可能性が高くなる。
【０００８】
このため、当該チャンネルにおけるサービスのセグメント配置をユーザが把握して、所望の１セグ放送を部分受信するには、当該チャンネルの放送局のウェブサイトにアクセスして、サービスのセグメント配置情報を取得したり、電子メールを経由して通知してもらったり、或いは、当該チャンネルのセグメントをスキャンして、サービスのセグメント配置を把握したりする必要がある。また、仮に、放送中のセグメントの配置を把握できたとしても、どのセグメントでどのようなサービスが放送されているかを把握することができないという問題がある。
【０００９】
また、放送局のウェブサイトからサービスのセグメント配置情報を取得するには、取得毎に放送局のウェブサイトにアクセスする必要があるため、取得に時間がかかるとともに、通信費がかかることが懸念される。また、チャンネル内のセグメントをスキャンしてサービスのセグメント配置情報を把握する場合には、全てのサービスのセグメント配置情報を把握するのに、やはり時間がかかることが懸念される。
【００１０】
また、上記技術に限らず、所定のチャンネルにおいて、独自コンテンツのみを（連結して）放送することも考えられる。しかし、この場合においても、当該チャンネルにおけるサービスのセグメント配置を把握するには、上述した場合と同様に、当該チャンネルの放送局のウェブサイトにアクセスしたり、当該チャンネルのセグメントをスキャンしたりする必要があるため、同様の問題が生じることになる。
【００１１】
また、ＩＳＤＢ−Ｔｓｂ（ISDB for Terrestrial Sound Broadcasting）を採用する地上デジタル音声放送においても、放送地域に応じて、サービスのセグメント配置を変更したり、独自コンテンツを追加したりすることが考えられるが、これらの場合にも、同様の問題が生じることになる。
【００１２】
さらに、上記の特許文献２の技術は、チャンネルスキャンの時間を多少低減できるが、チャンネルスキャン処理を行うことは必須であるため、ユーザがストレスを感じなくなる程度まで時間を短縮することは難しい。また、特許文献２の技術についても言えることだが、基本的に据え置き型のデジタル放送受信装置を対象とした技術である場合、受信装置が移動して受信状態や受信している放送局が変化した状況に対応することはできない。また、ギャップフィラー（ワンセグ再送信装置）やスポット的な形式の放送装置には独自放送と呼ばれるその装置固有の放送が存在することがある。従来技術のようにスキャンして系列局を見付けるだけでは、独自放送の存在を認識することはできない。ユーザ自身が独自放送を探す行動を起こさなければならない。また、番組表を表示させる際にも、独自チャンネル（独自放送）のものを表示させることは困難である。
【００１３】
即ち、従来のデジタル放送技術は、放送装置や周波数配置の多様化のために、或る放送局の受信から、別の放送局（ギャップフィラーや別の地区の放送局など）の受信への切り替えをスムーズかつシームレスに行うことが極めて困難であった。
【００１４】
そこで、本願人は、多種多様な放送局間におけるデジタル放送の受信切り替えをスムーズかつシームレスに行うことができるデジタル放送受信装置を発明し、当該装置に係る特許出願を行った（特願２００７−１３３５３４）。
【００１５】
この特許出願に係るデジタル放送受信装置は、中継の元となる放送局（親局）または中継局（ギャップフィラー）より送出される放送を選局するために必要な情報を含むチャンネルテーブルを記憶するための、チャンネルテーブル記憶手段を有する。このチャンネルテーブルを参照することで、親局とギャップフィラーとの間の受信の切り替えをスムーズに行うことができる。親局とギャップフィラーとの間の受信の切り替えの際は、一方の受信を試みて、受信状態が劣悪だと判断した場合にもう一方の受信を試みるようにしている。
【００１６】
このデジタル放送受信装置では、或る放送局の受信から、別の放送局の受信への切り替えをする際にチャンネルスキャンを行う必要がない。したがって、放送局の切り替えをスムーズかつシームレスに行うことができ、ユーザの利便性を格段に向上させることができるという著しい利点がある。
【００１７】
しかしながら、このデジタル放送受信装置は、親局とギャップフィラーの受信の切り替えの際、一方の受信を試みて、受信状態が劣悪だと判断した場合にもう一方の受信を試みている。そのため、例えば、親局からの放送は受信できずギャップフィラーからの放送のみが受信可能なエリアで放送の受信を試みると、まず親局のチャンネルの選局を行い、受信が不可能だと判断した後にギャップフィラーのチャンネルの選局を行う。
【００１８】
すなわち、図１０（ａ）に示すように、まず親局のＡチャンネル（Ａｃｈ）の選局を試みて、その受信が失敗してから、次に図１０（ｂ）に示すように、親局のＡチャンネルに対応するギャップフィラーのＰチャンネル（Ｐｃｈ）の選局を試みる。そして、Ｐチャンネルの受信に成功した時点で、図１０（ｃ）に示すように受信した放送を表示することができる。この場合、ギャップフィラーのチャンネルを選局して放送内容を表示するまでに、親局のチャンネルの選局を試みて失敗する分の余計な時間が掛かる。
【００１９】
このデジタル放送受信装置は、上述したように、チャンネルスキャンを行わないぶん、かなりスムーズな受信の切り替えを行うことができる。しかしながら、最初に受信を試みた放送局のチャンネルの選局に失敗したぶんの時間がかからなければ、受信の切り替えはさらにスムーズになり、ユーザの利便性を一層向上させることができる。
【００２０】
したがって、かかる事情に鑑みてなされた本発明の目的は、異なる放送局間におけるデジタル放送の受信切り替えをスムーズに行うことができる無線通信装置を提供することである。
【課題を解決するための手段】
【００２１】
上記目的を達成する請求項１に係る無線通信装置の発明は、
移動体通信網に接続されている基地局と通信する無線通信部と、
同一のサービスを複数の物理周波数で放送しているデジタル放送の該物理周波数を示す情報を記憶する記憶部と、
該記憶部が記憶している物理周波数を示す情報に基づいてデジタル放送を受信する受信部と、
前記無線通信部を介して前記基地局から所定の信号を受信すると、前記記憶部が記憶している物理周波数を示す情報のうち、特定の物理周波数を示す情報に基づいて前記受信部がデジタル放送を受信するように制御する制御部と、
を備えるものである。
【００２２】
請求項２に係る発明は、請求項１に記載の無線通信装置において、
前記制御部は、前記無線通信部を介して前記基地局から所定の信号を受信した後、前記受信部が前回受信していたサービスと同一のサービスを受信する場合には、前記特定の物埋周波数を示す情報に基づいて当該サービスを受信するように制御するものである。
【００２３】
請求項３に係る発明は、請求項１または２に記載の無線通信装置において、
前記無線通信部は、一般回線を介して移動体通信網に接続されている基地局と通信を行うものである。
【発明の効果】
【００２４】
本発明によれば、無線通信部を介して基地局から所定の信号を受信すると、記憶部が記憶している物理周波数を示す情報のうち、特定の物理周波数を示す情報に基づいて受信部がデジタル放送を受信するように制御するため、受信を試みて失敗する頻度が激減する。したがって、異なる放送局間におけるデジタル放送の受信の切り替えはさらにスムーズになり、ユーザの利便性を一層向上させることができる。
【発明を実施するための最良の形態】
【００２５】
以下、図面を参照しながら、本発明の実施態様を詳細に説明する。最初に用語を説明する。「独自放送（サービス）(独自番組／自主番組)」とは、既存の放送局以外で作成されたサービス（番組）のことである。例えば、商店街や遊園地、美術館など限られたエリアや施設の情報を提供するサービス（番組）である。
【００２６】
図１は、本発明が適用される受信装置、これに放送波を提供する放送装置、および受信装置と無線通信を行う基地局を含む放送システムの構成図である。図１に示すように、この放送システムは、受信装置１００、放送装置３００、放送局ＢＣＳ、フェムトセル基地局５００、および基地局ＢＳを含む。
【００２７】
放送局ＢＣＳは、一般的なデジタル放送システムの放送装置を備える放送局であり、１セグメント放送、即ち、１セグメント単独で受信可能である部分受信用のセグメントを使用したデジタル放送、および１２セグメントを使用した地上波テレビ用のデジタル放送を行っている。放送装置３００は、ギャップフィラー装置またはワンセグ連結ギャップフィラー装置とする。放送装置３００は、放送局ＢＣＳから受信した電波を受信装置１００に中継する。さらに、放送装置３００は、図示しない外部のコンテンツサーバなどから放送コンテンツを受信して、それを受信装置１００に中継することもできる。
【００２８】
本デジタル放送システムでは、放送局ＢＣＳと放送装置３００とが、同一のサービスを放送しているが、放送局ＢＣＳが使用している物理周波数帯域と、放送装置３００が使用している物理周波数帯域とは異なるものである。即ち、放送局ＢＣＳから放送されるサービスの全て或いは一部が、放送装置３００から、放送局ＢＣＳが使用する物理周波数帯域とは別の物理周波数帯域を用いて放送される。
【００２９】
また、放送装置３００は、放送局ＢＣＳが放送するサービスとは異なるサービス、例えば、上述の外部のコンテンツサーバなどから受信した（取得した）放送コンテンツを、独自放送（独自番組／自主番組）として放送している。本発明による受信装置１００は、放送局ＢＣＳがカバーする受信エリア内では、放送局ＢＣＳから放送されるデジタル放送を受信することが可能である。受信装置１００が、例えば、地下街などに入った場合に、放送局ＢＣＳからのデジタル放送が弱電界や圏外になり、受信継続が困難になる。逆に、地下街から地上に出て、放送装置３００からのデジタル放送が弱電界や圏外になり、受信継続が困難になる場合も発生する。このような場合は、受信装置１００は、放送局ＢＣＳのデジタル放送の受信と、放送装置３００のデジタル放送の受信とをチャンネルリスト、即ち、チャンネルテーブル（後で詳細に説明する）に基づいてシームレスに切り替える。
【００３０】
或いは、受信装置１００が、例えば、放送局ＢＣＳから遠く離れてデジタル放送が弱電界や圏外になり、受信継続が困難になり、他のギャップフィラー装置がカバーするエリアに入るケースも発生する。このような場合にも、受信装置１００は、放送局ＢＣＳのデジタル放送の受信と、当該ギャップフィラー装置のデジタル放送の受信とを、地域別のチャンネルリスト、即ち、地域別のチャンネルテーブル（後で詳細に説明する）を介してシームレスに切り替える。
【００３１】
フェムトセル基地局５００は、一般回線（ＡＤＳＬ等のブロードバンド回線）を介してインターネットなどのネットワークＮＥＴに接続されている。ネットワークＮＥＴは移動体通信網ＣＮＥＴと接続している。移動体通信網ＣＮＥＴは、広域基地局ＢＳに接続している。なお、図１においては、ルータやゲートウェイなどは省略してある。
【００３２】
フェムトセル基地局とは、一般的には、一般加入者回線を経由してセルラー網に接続されている超小型の基地局のことをいう。フェムトセル基地局は、カバーするエリアが半径数十メートル程度であり、電波の届きにくいビルの中や地下などに設置することができる。なお、本実施態様では、このようなフェムトセル基地局に限定されずに、設置される条件および状況が似ている小型の基地局も含むことができる。また、ギャップフィラーなどに代表される放送装置３００も電波の届きにくい場所をカバーするために設置されるため、フェムトセル基地局５００のエリア内であれば、放送装置３００が設置されている状況が想定される。
【００３３】
図２は、本実施態様による、放送を受信する機能と無線通信を行う機能とを有する受信装置（無線通信装置）１００のブロック図である。図２に示すように、受信装置１００は、制御部１１０、放送受信部１２０、受信状態検出部１３０、記憶部１４０、操作部１５０、表示部１６０、計時部１７０、無線通信部１８０、アンテナＡＮＴ１、およびアンテナＡＮＴ２を具える。
【００３４】
制御部１１０は、放送視聴部１１２と受信制御部１１４とを具える。放送視聴部１１２はデジタル放送を視聴する機能を有し、受信制御部１１４は受信を制御する機能を有する。記憶部１４０は、チャンネルテーブル記憶部１４２と、ラストチャンネル記憶部１４４と、シグナル記憶部１４６とを有する。ラストチャンネル記憶部１４４は、前回の受信時において最後に受信したチャンネル「ラストチャンネル」を記憶する。チャンネルテーブル記憶部１４２は、チャンネルテーブル（チャンネルリスト）、デジタル放送の受信品質の劣化を検出するための閾値を記憶する。また、シグナル記憶部１４６は、ギャップフィラーの放送が受信可能である（ギャップフィラーの放送エリアである）ことを示すシグナルを無線通信部１８０が受信した際に、受信したシグナルの情報を記憶する。
【００３５】
チャンネルテーブル記憶部１４２に記憶されるチャンネルテーブルは、選局するために必要な情報が記憶されている。具体的には、チャンネルテーブルには、親局およびその親局と同一のサービスを放送する放送装置にて送信されている放送の放送局、物理周波数（例えば、物理チャンネルやセグメント）、論理チャンネル（チャンネル番号）に関する情報が含まれている。この情報は放送や通信やチャンネルスキャンによって作成または取得または更新可能である。この実施態様では、チャンネルテーブルに、あらかじめ親局（放送局ＢＣＳ）と、その親局と同一のサービスを放送する放送装置（例えば放送装置３００）のチャンネル情報が登録されているものとする。また、チャンネルテーブルは、図５、図６のように放送エリア（例えば首都圏・中部・関西などの地域）ごとに存在する。
【００３６】
受信状態検出部１３０は、放送受信部１２０がアンテナＡＮＴ１を介して受信する放送波の受信状態を制御する。操作部１５０は、ユーザによるチャンネル選択などの諸操作を受け付ける。表示部１６０は、電子番組表や受信した放送コンテンツを表示する。計時部１７０は、設定された期間の時間を計測して、その期間が満了すると、その旨を制御部１１０に通知する。また、無線通信部１８０は、アンテナＡＮＴ２を介して、基地局ＢＳまたはフェムトセル基地局５００と無線通信を行う。
【００３７】
本発明による受信装置１００では、チャンネルテーブルを参照することで、チャンネルスキャンをする必要も無く、シームレスに受信対象の放送局の切り替えを行うことができる。また、放送局・放送内容（ネットワークＩＤやサービスＩＤ）が等しいということで、親局（放送局ＢＣＳ）と、その親局と同一のサービスを放送する放送装置３００の情報を直接関連付け、１つのチャンネルテーブルに親局と上記放送装置の情報を関連付けて記憶しているので、相互の情報のすばやい参照が可能となる。また、上記放送装置３００が独自放送を行う場合、独自放送の情報をチャンネルテーブルに記述することによって、ユーザに独自放送がある旨を通知することが可能となる。上記放送装置３００は、中継所設備やスポット放送装置やギャップフィラーなどの装置とすることができる。なお、ギャップフィラーとは、電波の届きにくい地域や場所に再送信を行う補助的な無線設備のことである。また、制御部１１０は、他の構成部と協働して、デジタル放送の受信品質を検出する。
【００３８】
図３は、放送装置３００の送信部分を示すブロック図である。図３に示すように、放送装置３００は、放送局ＢＣＳから受信（取得）した放送コンテンツの入力信号、または外部のコンテンツサーバ（コンテンツ記憶装置）などから受信（取得）したコンテンツの入力信号のチャンネルの数に対応する数の受信部、即ち、ｃｈＡ受信部３１０Ａ、ｃｈＢ受信部３１０Ｂ、…、ｃｈＺ受信部３１０Ｚを具える。放送装置３００は、多重化処理部３２０、変調部３３０、送信部３４０、およびアンテナ３５０をさらに具える。ｃｈＡ受信部３１０Ａ、ｃｈＢ受信部３１０Ｂ、…、ｃｈＺ受信部３１０Ｚは、ＴＳ信号受信部３１２Ａ，３１２Ｂ，…，３１２Ｚ、サービス情報抽出部３１４Ａ，３１４Ｂ，…，３１４Ｚをそれぞれ具える。
【００３９】
ｃｈＡ受信部３１０Ａ、３１０Ｂは、本実施態様では、既存の物理チャンネルの放送局に対応している。ここでは、便宜上、例えば、ｃｈＡ受信部３１０Ａは、物理チャンネルｃｈＡのＡＡＡテレビに対応し、ｃｈＢ受信部３１０Ｂは、物理チャンネルｃｈＢのＢＢＢテレビに対応するものとする。ｃｈＡ受信部３１０ＡのＴＳ信号受信部３１２Ａは、ｃｈＡに対応する放送局から送信されてくるＴＳ信号を受信し、サービス情報抽出部３１４ＡでＴＳ信号に含まれるサービス情報を抽出する。或いは、ｃｈＡ受信部３１０ＡのＴＳ信号受信部３１２Ａは、対応する放送局のコンテンツ記憶装置などから光ファイバなどの伝送手段を介して伝送されてくるｃｈＡのＴＳ信号を受信し、サービス情報抽出部３１４ＡでＴＳ信号に含まれるサービス情報を抽出することもできる。
【００４０】
ｃｈＢ受信部３１０Ｂも、ｃｈＢのＴＳ信号に対して同様の処理をそれぞれ行う。また、ｃｈＺ受信部３１０Ｚは、放送装置３００の独自放送（サービス）に対応している。ｃｈＺ受信部３１０ＺのＴＳ信号受信部３１２Ｚは、対応する放送局またはコンテンツ記憶装置などから送信されてくるｃｈＺのＴＳ信号を受信し、サービス情報抽出部３１４ＺでＴＳ信号に含まれるサービス情報を抽出する。サービス情報抽出部３１４Ａ，３１４Ｂ，…，３１４Ｚは、ＴＳ信号受信部３１０Ａ，３１０Ｂ，…，３１０Ｚから供給されるＴＳ信号からサービス情報を抽出し、その抽出したサービス情報を多重化処理部３２０へ供給する。
【００４１】
多重化処理部３２０は、各チャンネルの部分受信用のＴＳ信号を、あらかじめ設定されたセグメント配置に基づき多重化する。このときデジタル放送の信号に適合するように制御信号などを追加する。変調部３３０は、多重化された信号をＯＦＤＭ信号に変換し送信部３４０に送る。送信部３４０は、ＯＦＤＭ信号を設定された値まで増幅しアンテナ３５０から出力する。このようにして、放送装置３００は、親局である放送局ＢＣＳの放送波が届かない場所であっても、その放送を受信装置１００に中継（再送信）することができる。
【００４２】
図４は、放送装置３００が送信するチャンネルのセグメント構成を示す図である。放送局ＢＣＳを含む通常の各放送局は、図の上段に示すように、物理チャンネル毎の中央のセグメント番号０を部分受信用のセグメントである１セグ放送に使用している。放送装置３００は、部分受信用のセグメント番号０の各サービスを１つの物理チャンネル内で連結放送することができる。また、放送装置３００は、独自番組を部分受信用のセグメントとして未使用のセグメント（例えば図４のセグメント番号１０）に配置することもできる。なお、本実施態様では、中央のセグメント番号０には、独自番組が配置されている。図４の下段のセグメント７が未使用であるように、各サービス（チャンネル）は完全に隙間なく連結しなくてもよく、このような形式も便宜上、連結放送と呼ぶものとする。
【００４３】
このような放送装置は、「ワンセグ連結ギャップフィラー」として、マルチワンセグメント（マルチワンセグ）サービスの提供に用いることができる。本実施態様による受信装置１００は、単に親局から受信したワンセグ放送を再送信するギャップフィラー装置のみならず、このようなワンセグ連結ギャップフィラー装置からの放送の受信に対しても適用することができる。
【００４４】
図５は、第１のチャンネルテーブルを示す図である。図５に示すように、チャンネルテーブルはエリア別にあり、この例では、関東用チャンネルテーブルＬ１、中部用チャンネルテーブルＬ２、関西用チャンネルテーブルＬ３がある。ここでは、物理周波数を、周波数（物理チャンネル）そのもので規定している。例えば、関東用チャンネルテーブルＬ１の放送局ＭＨＫは、論理チャンネル（チャンネル番号）１であり、この論理チャンネル１には、関東の放送装置（親局、放送局ＢＣＳに相当する）の周波数５７５ＭＨｚ、親局と同一サービスを放送する放送装置（放送装置３００に相当する）の周波数７１３ＭＨｚが、それぞれ関連付けられている。この例の放送装置３００は、別個の物理周波数（物理チャンネル）で、各論理チャンネル用のサービス（番組）を放送している。
【００４５】
図６は、第２のチャンネルテーブルを示す図である。図６に示すように、チャンネルテーブル（チャンネルリスト）はエリア別にあり、この例では、首都圏用チャンネルテーブルＬ４、中部用チャンネルテーブルＬ５、関西用チャンネルテーブルＬ６がある。ここでは、物理周波数を、物理チャンネルとセグメントとのセットで規定している。例えば、首都圏用チャンネルテーブルＬ４の放送局ＭＨＫは、論理チャンネル（チャンネル番号）１であり、この論理チャンネル１には、首都圏の放送装置（親局、放送局ＢＣＳに相当する）の物理チャンネル２５とセグメント番号０とのセット、首都圏と同一サービスを放送する放送装置（放送装置３００に相当する）の物理チャンネル５０とセグメント番号３とのセットが、それぞれ関連付けられている。この例の放送装置３００は、物理チャンネル５０に、複数の部分受信可能なセグメントを連結して放送している。このように、１つの論理チャンネルに複数の放送局から送信される、複数の物理周波数を示す情報（物理チャンネルとセグメント番号とのセット）を関連付けておけば、放送局や受信する周波数が変化しても、画面表示上は同じ論理チャンネルの番号が表示される。
【００４６】
図７は、本実施態様によるフェムトセル基地局のブロック図である。図７に示すように、フェムトセル基地局５００は、アンテナＡＮＴ、ＲＦ送受信部５１０、送信部５２０、受信部５３０、制御部５４０、記憶部５５０を備える。送信部５２０は、送信系ＲＦ回路部５２２と送信変調部５２４とを有する。受信部５３０は、受信系ＲＦ回路部５３２と受信復調部５３４とを有する。ＲＦ送受信部５１０は、送受の切り替えを行い、送信部５２０及び受信部５３０は、アンテナＡＮＴを介して、受信装置１００と通信するための電波の送信及び受信をそれぞれ行う。
【００４７】
制御部５４０は、フェムトセル基地局５００全体の制御を司り、取得部５４１、シグナル生成部５４２、ベースバンド信号処理部５４４、プロトコル制御部５４５、及びコアネットワークインターフェース制御部５４６を有する。記憶部５５０は、当該フェムトセル基地局５００の周囲に存在するギャップフィラー装置およびワンセグ連結ギャップフィラー装置に関する情報を格納する。記憶部５５０は、特に、当該フェムトセル基地局５００が無線通信を行う電波の届くエリア内に存在するギャップフィラー装置およびワンセグ連結ギャップフィラー装置に関する情報を格納する。この情報により、フェムトセル基地局５００からの電波が届くエリア内に、ギャップフィラー装置またはワンセグ連結ギャップフィラー装置が存在することがわかる。このような情報は、最初から記憶部５５０に格納しておくこともできるが、他の基地局との通信により当該情報を入手したり、またはネットワークを介して外部から入手することなどもできる。
【００４８】
コアネットワークインターフェース制御部５４６は、ルータ５７０及び一般回線（ＡＤＳＬ等のブロードバンド回線）を介して、インターネットなどのネットワークＮＥＴに接続されている。ネットワークＮＥＴは、フェムトゲートウェイＦＧＷを介して移動体通信網ＣＮＥＴと接続している。移動体通信網ＣＮＥＴは、ホームロケーションレジスタ（ＨＬＲ）等を含み、基地局制御装置ＢＳＣを介して広域基地局ＢＳに接続している。
【００４９】
取得部５４１は、広域基地局ＢＳが報知する報知情報を取得する。シグナル生成部５４２は、フェムトセル基地局５００に接続している受信装置１００へ送信するシグナルを生成する。
【００５０】
本実施態様においては、フェムトセル基地局５００は、フェムトセル基地局５００に接続している受信装置１００に対して、放送を受信可能なギャップフィラー装置またはワンセグ連結ギャップフィラー装置が存在する旨の所定のシグナル（信号）を送信する。このシグナルは、受信装置１００がフェムトセル基地局５００の無線エリアにハンドオフする際に受信する。したがって、フェムトセル基地局５００からのシグナルを受信した受信装置１００は、このフェムトセル基地局５００の電波圏内であればギャップフィラー装置またはワンセグ連結ギャップフィラー装置からの放送を受信することが可能であることが認識できる。
【００５１】
通常、ギャップフィラー装置は、ワンセグ放送の電波を再送信することが主な用途であり、一方、フェムトセル基地局は、基地局の電波が届かないエリアであっても小さなエリアで無線通信を行えるようにすることが主な用途である。しかしながら、両者は、例えば地下街など電波の届きにくい地域や場所でも電波を受信できるようにする設備であるという点では類似している。したがって、このような用途の類似性から、今後、放送装置３００とフェムトセル基地局５００とは、設置される位置や場所が近い場合が多くなるものと予想される。
【００５２】
次に、本実施態様による受信装置１００の放送受信動作を説明する。図８は、本実施態様による受信装置１００の放送受信動作の処理の流れを説明するフローチャートである。この放送受信動作の開始時点で、チャンネルテーブル記憶部１４２は、親局である放送局ＢＣＳと、その親局と同一のサービスを放送する放送装置３００のチャンネル情報が登録されたチャンネルテーブルを記憶している。また、ラストチャンネル記憶部１４４は、受信装置１００で最後に放送を視聴していた親局（放送局ＢＣＳ）のチャンネルＡ（Ａｃｈ）を記憶している。
【００５３】
本実施態様による受信装置１００の動作が開始すると、制御部１１０は、無線通信部１８０が、フェムトセル基地局５００からの所定のシグナル（信号）を受信したか否かを判定する（ステップＳ１１）。フェムトセル基地局５００が、エリア内に存在するギャップフィラー装置またはワンセグ連結ギャップフィラー装置に関する情報を有している場合、受信装置１００にシグナルを送信しているため、受信装置１００は当該シグナルを受信する。
【００５４】
当該シグナルを検出したら、制御部１１０は、そのシグナルに含まれる情報をシグナル記憶部１４６に記憶して、当該シグナルを受信したフラグを立てる（ステップＳ１２）。
受信装置１００がフェムトセル基地局５００からのシグナルを受信したということは、原則として、ギャップフィラー装置またはワンセグ連結ギャップフィラー装置からの放送を受信することが可能である。したがって、この場合、制御部１１０は、ギャップフィラーからの放送を受信可能である旨の表示（メッセージ等）を表示部１６０に表示して（ステップＳ１３）から、ステップＳ１４に移行するのが望ましい。
【００５５】
一方、ステップＳ１１にてフェムトセル基地局５００からのシグナルを受信できていない場合、フラグを立てることなく処理はステップＳ１４に移行する。
【００５６】
ステップＳ１４では、操作部１５０に対するユーザによる操作入力などにより、放送の視聴開始操作がされたか否かを判定する（ステップＳ１４）。なお、ここで言う視聴の開始とは、実際にユーザが視聴する場合のみならず、放送の録画であってもよい。放送の視聴が開始されていない場合には、ステップＳ１１に戻る。一方、放送の視聴が開始された場合には、制御部１１０は、フラグが立っているか否かを確認する（ステップＳ１５）。
【００５７】
ステップＳ１５にてフラグが立っている場合、制御部１１０は、チャンネルテーブル記憶部１４２を参照して、親局（放送局ＢＣＳ）と、当該親局と同一サービスを放送する放送装置（放送装置３００）の対応付けを割り出す（ステップＳ１６）。例えば、ラストチャンネル記憶部１４４に記憶された放送局ＢＣＳのチャンネルＡ（Ａｃｈ）に対応するのは、放送装置３００のチャンネルＰ（Ｐｃｈ）であると判定する。
【００５８】
両チャンネルの対応付けが認識できたら、受信制御部１１４は、親局のＡｃｈに対応する放送装置３００のＰｃｈを選局する（ステップＳ１７）。Ｐｃｈにチューニングした後、ステップＳ１８にてＰｃｈの放送が受信できたら、制御部１１０は、Ｐｃｈの放送を表示部１６０に表示して（ステップＳ１９）、本実施態様の放送受信動作を終了する。
【００５９】
このような処理により、放送装置３００からの放送が受信可能であることをフェムトセル基地局５００からのシグナルにより認識することができるため、最初に受信を試みた放送局のチャンネルの選局に失敗するぶんの時間はかからなくなる。したがって、ステップＳ１４にてユーザが放送の視聴を開始した場合、例えば図９（ａ）に示すような選局の表示を表示部１６０に行った後（ステップＳ１７）、直ちに放送装置３００の放送を受信して、図９（ｂ）に示すようにＰｃｈの放送を表示することができる（ステップＳ１９）。
【００６０】
また、ステップＳ１５にてフラグが立っていない場合、放送装置３００からの放送が受信可能か否かが不明であるため、ステップＳ２０に移行する。ステップＳ２０では、制御部１１０は、チャンネルテーブル記憶部１４２を参照して、親局（放送局ＢＣＳ）の放送を行うチャンネルを割り出す（ステップＳ２０）。なお、ラストチャンネル記憶部１４４に記憶された放送局ＢＣＳのＡｃｈの情報を用いる場合は、ステップＳ２０の処理は不要である。
【００６１】
親局のＡｃｈを特定したら、受信制御部１１４は、親局である放送局ＢＣＳのＡｃｈを選局する（ステップＳ２１）。Ａｃｈにチューニングした後、ステップＳ２２にてＡｃｈの放送が受信できたら、制御部１１０は、Ａｃｈの放送を表示部１６０に表示して（ステップＳ２３）、本実施態様の放送受信動作を終了する。
【００６２】
このような処理により、放送装置３００からの放送を受信可能であることがフェムトセル基地局５００からのシグナルにより認識できない場合、最初から親局である放送局ＢＣＳの放送を試みる。そのため、放送装置３００からの放送を受信できない場合に、最初に放送装置３００に受信を試みて、そのチャンネルの選局に失敗するぶんの時間はかからなくなる。
【００６３】
したがって、ステップＳ１４にてユーザが放送の視聴を開始した場合、例えば図９（ｃ）に示すような選局の表示を表示部１６０に行った後（ステップＳ２１）、直ちに親局の放送局ＢＣＳの放送を受信して、図９（ｄ）に示すようにＡｃｈの放送を表示することができる（ステップＳ２３）。なお、ステップＳ２２にてＡｃｈの放送が受信できない場合、表示部１６０に「放送を受信できません」等の放送の受信が不可能である旨の表示（メッセージ等）を表示して（ステップＳ２４）、本実施態様の放送受信動作を終了する。
【００６４】
なお、ステップＳ１８にて、選局しているＰｃｈが受信できない場合、すなわち、フェムトセル基地局５００からのシグナルを受信してフラグが立っているにもかかわらずＰｃｈが受信できない場合、ステップＳ２５に移行する。この場合、すでにフェムトセル基地局５００からのシグナルを受信しているため、選局しているＰｃｈが受信できないのは一時的なものであることも考えられる。したがって、制御部１１０は、操作部１５０に対するユーザによる操作入力などにより親局のＡｃｈが選局されたか否か、または所定時間が経過したか否かを判定する（ステップＳ２５）。この所定時間は、ステップＳ１７にてＰｃｈの選局を開始した時点から、チューニングにかかる時間以上を示す時間である。
【００６５】
ステップＳ２５にて、所定の時間が経過してもＰｃｈの受信ができない場合、またはこの待ち時間の間にユーザによる操作入力などにより親局のＡｃｈが選局された場合には、ステップＳ２０に移行して、親局のＡｃｈを受信する処理を行う。
【００６６】
一方、ステップＳ２５にて、親局のＡｃｈが選局されずに、所定時間が経過してもいない場合、制御部１１０は、操作部１５０に対するユーザによる操作入力などにより放送局の選局を中止する命令が入力されたか否かを判定する（ステップＳ２６）。ステップＳ２６にて放送局の選局を中止する命令を受けていない場合、ステップＳ１７に戻り、放送装置３００のＰｃｈを受信する処理を続行する。一方、ステップＳ２６にて放送局の選局を中止する命令を受けた場合、表示部１６０に「選局が中止されました」等の選局中止の旨の表示（メッセージ等）を表示して（ステップＳ２７）、本実施態様の放送受信動作を終了する。また、ステップＳ２２において、受信できなかった場合、所定時間の経過やユーザ操作によりステップＳ１６に移行して、以降の処理を行ってもよい。
【００６７】
このように、本実施態様による受信装置（無線通信装置）１００の放送受信動作では、放送装置３００の放送エリアであることを示すシグナルをフェムトセル基地局５００から受信するので、放送の受信を開始する際に放送装置３００のチャンネルから選局することができる。このため、放送局ＢＣＳのチャンネルの選局を試みて失敗する分の余計な時間が掛からない。また、シグナルを受信したエリアで放送装置３００からの放送波の受信が不可能になっても、それは一時的なものである可能性が高い。本実施態様では、このような状況で放送装置３００からの放送の受信を所定の時間試みるため、再び視聴できる可能性が高くなる。一方で、所定時間の経過後は、放送局ＢＣＳのからの放送波の受信を試みるため、放送装置３００のエリアに入ったのが仮に一時的であった場合であっても対応できる。
【００６８】
また放送装置３００を設置する目的は、親局の放送波の届かない場所に放送を再送信するというのが一般的であり、地下等に多く設置されることが想定される。
そのような状況において、本実施態様の受信装置１００は、ＧＰＳの電波の届かない地下等でも動作可能であり、放送装置３００の設置目的に適うものである。
さらに、ＧＰＳ情報から位置を割り出して、当該位置に基づいて受信可能な放送局を特定するような措置が使えない場合であっても、本実施態様の受信装置１００であれば、適切に放送局を選定することができる。
【００６９】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各部、各手段、各ステップなどに含まれる機能などは論理的に矛盾しないように再配置可能であり、複数の構成部や手段やステップなどを１つに組み合わせたり、或いは分割したりすることが可能である。また、放送装置３００は、実施例の連結放送に限らず、サービスを別個の物理チャンネルの任意のセグメントにより放送（送信）されるものであってもよい。
【００７０】
また、上述した受信装置１００の放送受信動作は、ユーザの所望に応じて種々の態様に変形させることができる。一例として、図８のフローチャートのステップＳ２２にて、親局のＡｃｈを選局できない場合に、Ｐｃｈを選局して受信を試みるなどの設定にすることもできる。
【００７１】
上述した実施態様においては、放送装置３００は、ギャップフィラー装置を想定して説明したが、これに限定されるものではなく、ワンセグ連結ギャップフィラー装置とすることもでき、さらにMediaFLOなどの放送装置に適用することも可能である。
【図面の簡単な説明】
【００７２】
【図１】本発明が適用される受信装置、これに放送波を提供する放送装置、および受信装置と無線通信を行う基地局を含む放送システムの構成図である。
【図２】受信装置１００のブロック図である。
【図３】放送装置３００のブロック図である。
【図４】放送装置３００が送信するチャンネルのセグメント構成を示す図である。
【図５】第１のチャンネルテーブルを示す図である。
【図６】第２のチャンネルテーブルを示す図である。
【図７】フェムトセル基地局５００のブロック図である。
【図８】受信装置１００の放送受信動作の処理を説明するフローチャートである。
【図９】本実施態様の放送受信動作を説明するデジタル放送の表示例である。
【図１０】従来の放送受信動作を説明するデジタル放送の表示例である。
【符号の説明】
【００７３】
１００  受信装置
１１０  制御部
１１２  放送視聴部
１１４  受信制御部
１２０  放送受信部
１３０  受信状態検出部
１４０  記憶部
１４２  チャンネルテーブル記憶部
１４４  ラストチャンネル記憶部
１４６  シグナル記憶部
１５０  操作部
１６０  表示部
１７０  計時部
１８０  無線通信部
ＡＮＴ１，ＡＮＴ２  アンテナ
Ｌ１−Ｌ６  チャンネルテーブル
３００  放送装置
３１０Ａ，３１０Ｂ，３１０Ｚ  ｃｈＡ信号受信部、ｃｈＢ信号受信部、ｃｈＺ信号受信部
３１２Ａ，３１２Ｂ，３１２Ｚ  ＴＳ信号受信部
３１４Ａ，３１４Ｂ，３１４Ｚ  サービス情報抽出部
３２０  多重化処理部
３３０  変調部
３４０  送信部
３５０  アンテナ
５００  フェムトセル基地局
５１０  ＲＦ送受信部
５２０  送信部
５２２  送信系ＲＦ回路部
５２４  送信変調部
５３０  受信部
５３２  受信系ＲＦ回路部
５３４  受信復調部
５４０  制御部
５４１  取得部
５４２  シグナル生成部
５４４  ベースバンド信号処理部
５４５  プロトコル制御部
５４６  コアネットワークインターフェース制御部
５５０  記憶部
５７０  ルータ
ＡＮＴ  アンテナ
ＢＳ  広域基地局
ＢＳＣ  基地局制御装置
ＣＮＥＴ  移動体通信網
ＮＥＴ  ネットワーク
ＦＧＷ  フェムトゲートウェイ
【図１】
2010035035.tif 000003
【図２】
2010035035.tif 000004
【図３】
2010035035.tif 000005
【図４】
2010035035.tif 000006
【図５】
2010035035.tif 000007
【図６】
2010035035.tif 000008
【図７】
2010035035.tif 000009
【図８】
2010035035.tif 000010
【図９】
2010035035.tif 000011
【図１０】
2010035035.tif 000012